(57)【要約】【課題】ユーザが容易に精度良く焦点を調整することを可能にする技術を提供することを目的とする。【解決手段】投写光によって所定のパターンを表す部分を含む調整用画像を投写する。調整用画像が投写された状態の投写面を撮像して画像データを生成する。画像データを解析することによって、投写面における焦点の合焦状態を特定する。特定された合焦状態を表示する。【選択図】図４
2010032842.tif 000002
【特許請求の範囲】
【請求項１】
画像を表す投写光を投写面に投写するプロジェクタであって、
ユーザの操作に従って前記投写光の焦点を移動させる焦点調整部と、
前記投写光によって所定のパターンを表す部分を含む調整用画像を投写する調整用画像投写部と、
前記調整用画像が投写された状態の前記投写面を撮像して画像データを生成する撮像部と、
前記画像データを解析することによって、前記投写面における前記焦点の合焦状態を特定する特定部と、
前記特定された前記合焦状態を表示する状態表示部と、
を備える、プロジェクタ。
【請求項２】
請求項１に記載のプロジェクタであって、
前記特定部は、前記合焦状態を表すとともに前記焦点の移動によって変動する指標値を、前記画像データを解析することによって算出し、
前記状態表示部は、前記指標値を表示し、
前記撮像部は、前記撮像を繰り返し、
前記特定部は、前記繰り返される撮像のそれぞれに応じて前記指標値を算出し、
前記状態表示部は、前記算出された前記指標値に応じて、前記表示される指標値を繰り返し更新する、
プロジェクタ。
【請求項３】
請求項２に記載のプロジェクタであって、
前記指標値は、
（Ａ）前記画像データによって表される所定の色成分の、空間周波数の所定範囲から得られる強さと、
（Ｂ）前記画像データにおけるコントラストの強さと、
のいずれかを表す、
プロジェクタ。
【請求項４】
請求項１に記載のプロジェクタであって、
前記特定部は、
（Ａ）前記画像データを解析することによって前記投写面の第１位置を特定し、
（Ｂ）前記焦点調整部の現行の調整設定に対応付けられた前記焦点の第２位置を特定し、
前記状態表示部は、前記第１位置と前記第２位置との間の距離を表示し、
前記特定部は、前記第２位置の特定を繰り返し、
前記状態表示部は、前記特定された前記第２位置に応じて、前記表示される前記距離を繰り返し更新する、
プロジェクタ。
【請求項５】
請求項４に記載のプロジェクタであって、
前記状態表示部は、さらに、前記第１位置と前記第２位置とのいずれが前記プロジェクタに近いかを表示する、
プロジェクタ。
【請求項６】
請求項１ないし請求項５のいずれかに記載のプロジェクタであって、
前記調整用画像投写部は、ユーザによって前記焦点調整部が操作されたことに応じて、前記調整用画像を投写する、
プロジェクタ。
【請求項７】
請求項１ないし請求項６のいずれかに記載のプロジェクタであって、
前記所定のパターンは、交互に配置された互いに所定の色成分の強度の異なる第１領域と第２領域とを含む、
プロジェクタ。
【請求項８】
請求項１ないし請求項７のいずれかに記載のプロジェクタであって、
前記状態表示部は、前記特定された前記合焦状態を表す状態表示部分と前記所定のパターンを表す部分とを含む画像に、前記調整用画像を更新することによって、前記合焦状態を表示する、
プロジェクタ。
【請求項９】
請求項１ないし請求項８のいずれかに記載のプロジェクタであって、さらに、
表示装置を含み、
前記状態表示部は、前記表示装置に、前記合焦状態を表示させる、
プロジェクタ。
【請求項１０】
画像を表す投写光を投写面に投写するとともに、ユーザの操作に従って前記投写光の焦点を移動させる焦点調整部を含むプロジェクタの制御方法であって、
前記投写光によって所定のパターンを表す部分を含む調整用画像を投写する工程と、
前記調整用画像が投写された状態の前記投写面を撮像して画像データを生成する工程と、
前記画像データを解析することによって、前記投写面における前記焦点の合焦状態を特定する工程と、
前記特定された前記合焦状態を表示する工程と、
を備える、方法。
【発明の詳細な説明】
【技術分野】
【０００１】
本発明は、プロジェクタおよびプロジェクタの制御方法に関するものである。
【背景技術】
【０００２】
従来から、画像を表す投写光を投写面に投写するプロジェクタが利用されている。プロジェクタと投写面との間の距離は、種々に変化し得る。そこで、投写光の焦点を移動させることが可能なプロジェクタが利用されている。焦点を移動（調整）する技術としては、手動で焦点を調整する技術と、自動的に焦点を調整する技術とが、知られている。
【０００３】
【特許文献１】特開平６−３０３４８７号公報
【特許文献２】特開平６−３３１８８１号公報
【特許文献３】特開２００１−２５５４５２号公報
【特許文献４】特開２００３−２４１０７０号公報
【特許文献５】特開２００５−１４０９４３号公報
【特許文献６】特開２００５−２８４１５６号公報
【発明の開示】
【発明が解決しようとする課題】
【０００４】
ところが、ユーザが手動で焦点を調整する場合に、精度良く焦点を調整することはユーザにとって容易では無かった。
【０００５】
本発明は、上記の課題の少なくとも一部を解決するためになされたものであり、ユーザが容易に精度良く焦点を調整することを可能にする技術を提供することを目的とする。
【課題を解決するための手段】
【０００６】
本発明は、上述の課題の少なくとも一部を解決するためになされたものであり、以下の形態又は適用例として実現することが可能である。
【０００７】
［適用例１］画像を表す投写光を投写面に投写するプロジェクタであって、ユーザの操作に従って前記投写光の焦点を移動させる焦点調整部と、前記投写光によって所定のパターンを表す部分を含む調整用画像を投写する調整用画像投写部と、前記調整用画像が投写された状態の前記投写面を撮像して画像データを生成する撮像部と、前記画像データを解析することによって、前記投写面における前記焦点の合焦状態を特定する特定部と、前記特定された前記合焦状態を表示する状態表示部と、を備える、プロジェクタ。
【０００８】
この構成によれば、投写面における焦点の合焦状態の特定に、所定のパターンを表すパターン部分を含む調整用画像が投写された投写面を表す画像データが利用されるので、合焦状態の特定の精度を高めることができる。そして、特定された合焦状態が表示されるので、ユーザは、容易に精度良く焦点を調整することができる。
【０００９】
［適用例２］適用例１に記載のプロジェクタであって、前記特定部は、前記合焦状態を表すとともに前記焦点の移動によって変動する指標値を、前記画像データを解析することによって算出し、前記状態表示部は、前記指標値を表示し、前記撮像部は、前記撮像を繰り返し、前記特定部は、前記繰り返される撮像のそれぞれに応じて前記指標値を算出し、前記状態表示部は、前記算出された前記指標値に応じて、前記表示される指標値を繰り返し更新する、プロジェクタ。
【００１０】
この構成によれば、ユーザは、表示された指標値の変化を参考にして焦点を調整することによって、容易に精度良く焦点を調整することができる。
【００１１】
［適用例３］適用例２に記載のプロジェクタであって、前記指標値は、（Ａ）前記画像データによって表される所定の色成分の、空間周波数の所定範囲から得られる強さと、（Ｂ）前記画像データにおけるコントラストの強さと、のいずれかを表す、プロジェクタ。
【００１２】
この構成によれば、焦点の位置と投写面の位置との一致の度合いを適切に表す指標値をユーザが参考にすることができるので、ユーザは容易に精度良く焦点を調整することができる。
【００１３】
［適用例４］適用例１に記載のプロジェクタであって、前記特定部は、（Ａ）前記画像データを解析することによって前記投写面の第１位置を特定し、（Ｂ）前記焦点調整部の現行の調整設定に対応付けられた前記焦点の第２位置を特定し、前記状態表示部は、前記第１位置と前記第２位置との間の距離を表示し、前記特定部は、前記第２位置の特定を繰り返し、前記状態表示部は、前記特定された前記第２位置に応じて、前記表示される前記距離を繰り返し更新する、プロジェクタ。
【００１４】
この構成によれば、ユーザは、第１位置と第２位置との間の距離が小さくなるように焦点を調整することによって、容易に精度良く焦点を調整することができる。
【００１５】
［適用例５］適用例４に記載のプロジェクタであって、前記状態表示部は、さらに、前記第１位置と前記第２位置とのいずれが前記プロジェクタに近いかを表示する、プロジェクタ。
【００１６】
この構成によれば、ユーザは、第１位置と第２位置とのいずれがプロジェクタに近いかに応じて、容易に焦点の調整すべき方向を確認できる。その結果、ユーザは、容易に精度良く焦点を調整することができる。
【００１７】
［適用例６］適用例１ないし適用例５のいずれかに記載のプロジェクタであって、前記調整用画像投写部は、ユーザによって前記焦点調整部が操作されたことに応じて、前記調整用画像を投写する、プロジェクタ。
【００１８】
この構成によれば、ユーザが焦点を調整しようとしたことに応じて調整用画像が投写されるので、ユーザは、容易に精度良く焦点を調整することができる。
【００１９】
［適用例７］適用例１ないし適用例６のいずれかに記載のプロジェクタであって、前記所定のパターンは、交互に配置された互いに所定の色成分の強度の異なる第１領域と第２領域とを含む、プロジェクタ。
【００２０】
この構成によれば、所定のパターンが、交互に配置された互いに所定の色成分の強度の異なる第１領域と第２領域とを含むので、焦点の位置の変化に応じて、画像データが大きく変化する。その結果、合焦状態の特定の精度を高めることができる。そして、特定された合焦状態が表示されるので、ユーザは、容易に精度良く焦点を調整することができる。
【００２１】
［適用例８］適用例１ないし適用例７のいずれかに記載のプロジェクタであって、前記状態表示部は、前記特定された前記合焦状態を表す状態表示部分と前記所定のパターンを表す部分とを含む画像に、前記調整用画像を更新することによって、前記合焦状態を表示する、プロジェクタ。
【００２２】
この構成によれば、ユーザは、実際に投写された調整用画像の観察によって合焦状態を確認できるので、容易に精度良く焦点を調整することができる。
【００２３】
［適用例９］適用例１ないし適用例８のいずれかに記載のプロジェクタであって、さらに、表示装置を含み、前記状態表示部は、前記表示装置に、前記合焦状態を表示させる、プロジェクタ。
【００２４】
この構成によれば、投写された画像がぼやけている場合であっても、ユーザは、表示装置による表示を観察することによって合焦状態を確認できるので、容易に焦点を調整することができる。
【００２５】
［適用例１０］画像を表す投写光を投写面に投写するとともに、ユーザの操作に従って前記投写光の焦点を移動させる焦点調整部を含むプロジェクタの制御方法であって、前記投写光によって所定のパターンを表す部分を含む調整用画像を投写する工程と、前記調整用画像が投写された状態の前記投写面を撮像して画像データを生成する工程と、前記画像データを解析することによって、前記投写面における前記焦点の合焦状態を特定する工程と、前記特定された前記合焦状態を表示する工程と、を備える、方法。
【００２６】
なお、本発明は、種々の形態で実現することが可能であり、例えば、プロジェクタの制御方法およびプロジェクタ、それらの方法または装置の機能を実現するためのコンピュータプログラム、そのコンピュータプログラムを記録した記録媒体、等の形態で実現することができる。
【発明を実施するための最良の形態】
【００２７】
次に、この発明の実施の形態を実施例に基づいて以下の順序で説明する。
Ａ．第１実施例：
Ｂ．第２実施例：
Ｃ．変形例：
【００２８】
Ａ．第１実施例：
図１は、本発明の一実施例としてのプロジェクタを示す説明図である。このプロジェクタ１００は、画像信号に従って画像を表す投写光を投写して、スクリーンＳＣ等の投写面上に画像を表示する画像表示装置である。このプロジェクタ１００は、表示制御部２００と、光源３００と、液晶ライトバルブ３１０と、投写光学系３２０と、撮像部４００と、を備えている。
【００２９】
光源３００は、投写光のための光源である。光源３００としては、高圧水銀ランプや、ハロゲンランプ、メタルハライドランプ等の種々の光源ランプを採用可能である。また、光源３００としては、このような光源ランプに限らず、発光ダイオードやレーザーダイオード等の種々の光源を採用可能である。
【００３０】
液晶ライトバルブ３１０は、複数の画素を有し、表示制御部２００（出力映像処理部２３０）から供給される駆動電圧に基づいて各画素を駆動する。液晶ライトバルブ３１０は、駆動電圧に応じて液晶を動作させることにより、光源３００から照射された照明光を、画像を表す投写光に変調する。なお、本実施例では、液晶ライトバルブ３１０は、赤（Ｒ）と緑（Ｇ）と青（Ｂ）との３つの色成分のための３つのライトバルブをそれぞれ含んでいる（図示省略）。表示制御部２００は、ＲＧＢのそれぞれのライトバルブを制御する。ただし、１つの液晶ライトバルブを利用してモノクロ画像を投写してもよい。
【００３１】
投写光学系３２０は、投写光を、投写面（例えば、スクリーンＳＣ）に向けて投写する。投写光学系３２０は、図示しない複数のレンズと、投写光の焦点（結像点ともよばれる）を移動させるフォーカスリング３２２と、フォーカスリング３２２の動きを検出する検出部３２４と、を含んでいる。フォーカスリング３２２は、投写光学系３２０に含まれる１つあるいは複数のレンズと機械的に連結されている。ユーザがフォーカスリング３２２を回転させることによって、投写光学系３２０内のレンズの配置が変化し、投写光の焦点が移動する。これにより、投写面（例えば、スクリーンＳＣ）とプロジェクタ１００との間の種々の距離において、投写面に焦点を合わせることができる。なお、フォーカスリング３２２は、特許請求の範囲における「焦点調整部」に相当する。
【００３２】
撮像部４００は、投写面（例えば、スクリーンＳＣ）を撮像（撮影）して画像データを生成する撮像装置である。本実施例では、ＣＣＤ（Charge Coupled Device）カメラが、撮像部４００として採用されている。なお、撮像部４００としては、ＣＣＤカメラに限らず、ＣＭＯＳカメラ等の種々の撮像装置を採用可能である。また、生成される画像データは、カラー画像データであってもよく、所定の色成分（例えば、輝度）で表されたモノクロ画像データであってもよい。
【００３３】
表示制御部２００は、プロジェクタ１００の各構成要素を制御する。表示制御部２００は、入力映像処理部２１０と、映像選択部２２０と、出力映像処理部２３０と、取得画像処理部２４０と、フォーカス状態特定部２５０と、状態表示部２５５と、調整用画像投写部２６０と、を有している。表示制御部２００の各要素は、専用のデバイスや回路等のハードウェアによって、構成されている。
【００３４】
入力映像処理部２１０は、表示制御部２００に供給される映像信号（画像信号）を、表示制御部２００で処理可能なデジタルデータに変換する。入力映像処理部２１０は、例えば、Ａ／Ｄ変換（アナログデジタル変換）や、Ｉ／Ｐ変換（インタレースプログレッシブ変換）を実行する。入力映像処理部２１０は、変換後のデータを映像選択部２２０に供給する。なお、表示制御部２００には、図示しない画像供給装置（例えば、ＤＶＤ再生装置やパーソナルコンピュータ）が接続される。画像供給装置は、映像信号（画像信号）を表示制御部２００（入力映像処理部２１０）に供給する。映像信号（画像信号）としては、コンポジット信号や、コンポーネント信号や、デジタル信号などの種々の信号を採用可能である。
【００３５】
映像選択部２２０は、投写すべき画像を選択する。本実施例では、入力映像処理部２１０によって供給された画像と、後述する調整用画像と、のいずれか一方を選択する。映像選択部２２０は、選択した画像を表す画像データを、出力映像処理部２３０に供給する。
【００３６】
出力映像処理部２３０は、映像選択部２２０から受信した画像データに従って、液晶ライトバルブ３１０を駆動する（液晶ライトバルブ３１０に駆動電圧を印加する）。その結果、映像選択部２２０によって選択された画像が、スクリーンＳＣに表示される。なお、出力映像処理部２３０は、ガンマ補正やＶＴ補正等の色を調整する処理を実行してもよい。ガンマ補正は、明るさのガンマ特性を調整する処理である。ＶＴ補正は、液晶ライトバルブ３１０に固有な非線形な入出力特性に応じて画像データ（例えば、ＲＧＢの各色成分の階調値）を補正する処理である。
【００３７】
なお、図示しない画像供給装置によって表示制御部２００に供給される画像信号は、時系列の順番に並んだ複数の画像（フレーム画像とも呼ばれる）を表している。スクリーンＳＣに投写されるフレーム画像は、画像信号に従って更新される。その結果、時系列の順番に並んだ複数のフレーム画像は、その順番に投写される。
【００３８】
取得画像処理部２４０とフォーカス状態特定部２５０と状態表示部２５５と調整用画像投写部２６０とは、撮像部４００によって生成された画像データを利用した処理を実行する。この処理は、フォーカスリング３２２を操作して投写光の焦点を合わせるユーザをアシストするためのものである（以下、「アシスト処理」と呼ぶ）。取得画像処理部２４０は、撮像部４００によって生成された画像データを、フォーカス状態特定部２５０による処理に適した画像データに変換する。例えば、取得画像処理部２４０は、ガンマ補正を行う。フォーカス状態特定部２５０は、取得画像処理部２４０から受信した画像データを解析して、焦点の合焦状態を特定する。合焦状態は、どこに投写光の焦点が合っているかの状態を意味している。状態表示部２５５は、調整用画像投写部２６０に、特定された合焦状態を表す調整用画像を生成させる。調整用画像投写部２６０は、生成した調整用画像を映像選択部２２０に供給する。調整用画像は、映像選択部２２０によって選択され、スクリーンＳＣに表示される。
【００３９】
図２は、アシスト処理の手順を示すフローチャートである。ステップＳ１００では、調整用画像投写部２６０（図１）は、アシスト処理を開始するための条件が満たされたか否かを判断する（以下、「開始条件」と呼ぶ）。本実施例では、ユーザがフォーカスリング３２２を操作したことが、開始条件として採用されている。すなわち、本実施例では、ユーザが焦点を調整しようとしたことに応じてアシスト処理が開始される。調整用画像投写部２６０は、検出部３２４の出力信号に従って、開始条件が満たされたか否かを判断する。開始条件が満たされていない場合には、調整用画像投写部２６０は、ステップＳ１００に戻る。
【００４０】
開始条件が満たされた場合には、次のステップＳ１１０で、調整用画像投写部２６０は、調整用画像を表す画像データを生成する。図３（Ａ）は、調整用画像ＡＩを示す説明図である。本実施例では、調整用画像ＡＩは、調整用パターンＡＰと、指標値領域ＩＡと、棒グラフＢＧとを、表している。調整用パターンＡＰは、明領域（ハッチングを付していない領域）と暗領域（ハッチングを付した領域）とが、横方向Ｈに沿って交互に配置されたパターンを示している。明領域の色は、最も明るい白色である。暗領域の色は、最も暗い黒色である。明領域と暗領域とのそれぞれの形状は、横方向Ｈとは垂直な縦方向Ｖに延びる矩形状である。この調整用パターンＡＰは、予め決定されている。
【００４１】
指標値領域ＩＡには、投写面（例えば、スクリーンＳＣ）における焦点の合焦状態を表す指標値が数字で表されている。棒グラフＢＧは、その指標値の大きさを表している。後述するように、指標値は、投写面に表示された調整用画像ＡＩの撮像結果に従って算出される。指標値の算出前には、調整用画像投写部２６０は、調整用画像ＡＩから、指標値領域ＩＡと棒グラフＢＧとを省略してもよい。この代わりに、調整用画像投写部２６０は、指標値が所定の値（例えば、ゼロ）であることとして、指標値領域ＩＡと棒グラフＢＧとを表す調整用画像ＡＩを生成してもよい。なお、指標値領域ＩＡと棒グラフＢＧとは、それぞれ、特許請求の範囲における「合焦状態を表す状態表示部分」に相当する。また、後述するように、指標値領域ＩＡと棒グラフＢＧとは、状態表示部２５５によって更新される。
【００４２】
図２の次のステップＳ１２０では、調整用画像投写部２６０（図１）は、生成した調整用画像ＡＩを投写する。具体的には、調整用画像投写部２６０は、調整用画像ＡＩを表す画像データと、調整用画像ＡＩを選択する指示とを、映像選択部２２０に供給する。映像選択部２２０は、指示に従って、調整用画像ＡＩを選択し、調整用画像ＡＩを表す画像データを出力映像処理部２３０に供給する。その結果、投写面（本実施例では、スクリーンＳＣ）には、調整用画像ＡＩが表示される。
【００４３】
次のステップＳ１３０では、調整用画像投写部２６０（図１）は、撮像部４００に、撮影の指示を供給する。撮像部４００は、指示に従って、投写面を撮影し、投写面を表す画像データを生成する。図４には、撮影された第１画像ＰＩａが示されている。この撮影された第１画像ＰＩａには、調整用画像ＡＩが写っている。生成された画像データは、取得画像処理部２４０を介してフォーカス状態特定部２５０に供給される。
【００４４】
図２の次のステップＳ１４０では、フォーカス状態特定部２５０（図１）は、受信した画像データを解析して、投写面における焦点の合焦状態を表す指標値を算出する。この指標値は、焦点の位置と投写面（例えば、スクリーンＳＣ）の位置との一致の度合いを表している。
【００４５】
図３（Ｂ）、３（Ｃ）は、指標値の概要を示す説明図である。これらの図には、調整用パターンＡＰにおける横方向Ｈに沿った輝度Ｙの変化を示す曲線（グラフ）が示されている。横軸は、撮影された画像（例えば、図４の第１画像ＰＩａ）に写った調整用パターンＡＰにおける横方向Ｈの位置を示している。縦軸は、撮影された画像における輝度Ｙを示している。フォーカス状態特定部２５０（図１）は、画像データを解析することによって輝度Ｙの曲線を取得する。そして、フォーカス状態特定部２５０は、この曲線を空間周波数で分解して強度分布を算出し、所定の閾値よりも高い空間周波数成分の強度の積算値を算出する。以下、この積算値を「高周波強度」とも呼ぶ。後述するように、この高周波強度が大きいほど、指標値も大きくなる。なお、空間周波数は、「１サイクルに相当する距離（画素数）」の逆数に相当する。また、撮影された画像によって表される空間周波数の最高値は、２画素で１サイクルを表す周波数である。従って、本実施例では、空間周波数の上限を定めていないが、強度の積算は、その最高値までの範囲内で行われる。
【００４６】
図３（Ｂ）は、投写面上に焦点が合っている場合を示している。この場合には、スクリーンＳＣ上に投写された調整用パターンＡＰにおいて、明領域と暗領域との境界が鮮明に表現される。その結果、明領域内および暗領域内において輝度Ｙはほぼ一定であり、明領域と暗領域との境界において、輝度Ｙはほぼ垂直に変化する。その結果、高周波強度は大きくなる。また、コントラストは強くなる。
【００４７】
図３（Ｃ）は、投写面から焦点がずれている場合を示している。この場合には、スクリーンＳＣに投写された調整用パターンＡＰにおいて、明領域と暗領域との境界に近い領域が、白色と黒色とが混合されたように表現される。その結果、明領域内の境界に近い部分では、投写面に焦点が合っている場合と比べて、輝度Ｙが小さくなる。そして、暗領域内の境界に近い部分では、投写面に焦点が合っている場合と比べて、輝度Ｙが大きくなる。また、焦点が投写面から離れるほど、境界から遠い領域においても、白色と黒色との混合が生じる。従って、焦点が投写面から離れるほど、輝度Ｙの変化量が小さくなり、輝度Ｙの曲線はなだらかになる。その結果、高周波強度は小さくなる。また、コントラストは弱くなる。
【００４８】
高周波強度は、焦点が投写面と完全に一致した場合に、最大になる。そこで、フォーカス状態特定部２５０（図１）は、最大を表す基準値に対する、高周波強度の割合を、指標値として算出する（単位はパーセント）。このような基準値は、予め実験的に決定される。また、調整用画像ＡＩにおける調整用パターンＡＰを解析することよって得られる高周波強度を、基準値として利用してもよい。
【００４９】
フォーカス状態特定部２５０（図１）は、算出した指標値を、状態表示部２５５に供給する。
【００５０】
図２の次のステップＳ１５０では、調整用画像投写部２６０（図１）は、アシスト処理を終了するための条件が満たされたか否かを判断する（以下、「終了条件」と呼ぶ）。本実施例では、ユーザがフォーカスリング３２２の操作をやめてから所定時間（例えば、１０秒）が経過したことが、終了条件として採用されている。調整用画像投写部２６０は、検出部３２４の出力信号に従って、終了条件が満たされたか否かを判断する。終了条件が満たされている場合には、次のステップＳ１６０で、調整用画像投写部２６０は、調整用画像の投写を終了し、ステップＳ１００に戻る。ステップＳ１６０では、調整用画像投写部２６０は、入力映像処理部２１０によって供給された画像を選択する指示を、映像選択部２２０に供給する。
【００５１】
終了条件が満たされていない場合には、調整用画像投写部２６０（図１）は、ステップＳ１１０に戻る。このステップＳ１１０では、状態表示部２５５は、フォーカス状態特定部２５０から受信した指標値を利用して、調整用画像ＡＩ（図３（Ａ））を更新する。具体的には、状態表示部２５５は、指標値領域ＩＡの数字を、指標値を表す数字に更新し、棒グラフＢＧを、指標値を表すグラフに更新する。調整用画像投写部２６０は、更新後の調整用画像ＡＩを表す画像データを生成し、生成した画像データを映像選択部２２０に供給する。
【００５２】
その後、終了条件が満たされるまで、表示制御部２００（図１）は、ステップＳ１１０〜Ｓ１４０の処理を繰り返す。その結果、プロジェクタ１００は、スクリーンＳＣに、焦点の現行の合焦状態を表す調整用画像ＡＩ（図３（Ａ））を表示する。ユーザは、表示された調整用画像ＡＩを観察することによって、容易に焦点の合焦状態を確認することができる。そして、ユーザは、表示された指標値が大きくなるようにフォーカスリング３２２（図１）を操作することによって、容易に精度良く焦点を調整することができる。
【００５３】
例えば、図４に示す第１画像ＰＩａは、焦点が投写面からずれている場合を示している。第１画像ＰＩａでは、調整用パターンＡＰがぼやけて写っている。また、指標値領域ＩＡと棒グラフＢＧに示された指標値が、最大値（１００％）と比べて小さい。このような画像が表示された場合には、ユーザは、指標値が大きくなるようにフォーカスリング３２２を操作すればよい。図４に示す第２画像ＰＩｂは、ユーザによるフォーカスリング３２２の操作の後に撮影された画像を示している。この第２画像ＰＩｂでは、調整用パターンＡＰが鮮明に写っており、また、指標値も最大値に近い。その結果、ユーザは、焦点が投写面に合ったことを簡単に確認することができる。このように、ユーザは、表示された指標値の変化を参考にして焦点を調整することによって、容易に精度良く焦点を調整することができる。
【００５４】
なお、本実施例では、終了条件として、ユーザがフォーカスリング３２２（図１）の操作をやめてから所定時間が経過したことが、採用されている。従って、アシスト処理を終了するためには、ユーザは、焦点が投写面に合ったことを確認した後に、フォーカスリング３２２の操作をやめればよい。これにより、表示制御部２００は、自動的に、入力映像処理部２１０によって供給された画像の投写を開始する。
【００５５】
また、図３（Ａ）に示すように、調整用パターンＡＰの明領域と暗領域とは、それぞれ、縦方向Ｖに沿って延びている。そこで、本実施例では、フォーカス状態特定部２５０（図１）は、横方向Ｈの或る位置の輝度Ｙとして、調整用パターンＡＰにおける横方向Ｈの位置が同じである複数の画素（すなわち、縦方向Ｖに沿って並ぶ複数の画素）の輝度値の平均値を、採用する。ただし、平均値に限らず、複数の画素の輝度の関数で表される種々の値（例えば、中央値）を採用してもよい。また、横方向Ｈに沿って延びる所定の１つの画素ラインの輝度を利用してもよく、また、所定の複数の画素ラインの輝度を利用してもよい。
【００５６】
また、フォーカス状態特定部２５０（図１）は、撮影された画像内の所定の位置に調整用パターンＡＰが写っていることとして、指標値を算出する。ただし、フォーカス状態特定部２５０は、パターンマッチング等の種々の方法によって、画像中の調整用パターンＡＰを検出してもよい。
【００５７】
Ｂ．第２実施例：
図５は、調整用画像の別の実施例を示す説明図である。図３（Ａ）に示す調整用画像ＡＩとの差違は、２点ある。第１の差違は、調整用画像ＡＩ２の調整用パターンＡＰ２が、白色の背景領域（ハッチングを付していない領域）と、背景領域の中の所定の位置に配置された複数のマーカＭＫと、を表している点である。本実施例では、マーカＭＫは黒色で塗りつぶされた円である。図５の実施例では、９つのマーカＭＫが３＊３のマトリックス状に配置されている。この調整用パターンＡＰ２は、予め決定されている。第２の差違は、調整用画像ＡＩ２が、指標値領域ＩＡと棒グラフＢＧとの代わりに、第１位置表示部ＤＩ１と、第２位置表示部ＤＩ２とを、表している点である。第１位置表示部ＤＩ１は、プロジェクタを基準とする投写面の位置を示している。第２位置表示部ＤＩ２は、プロジェクタを基準とする投写光の焦点の位置を示している。なお、第２実施例の調整用パターンＡＰ２を利用するプロジェクタの構成は、図１に示すプロジェクタ１００と同じである。また、第２実施例では、表示制御部２００は、図２に示す手順に従って、アシスト処理を実行する。ただし、第２実施例では、ステップＳ１１０とステップＳ１４０とのそれぞれの処理が、第１実施例と異なっている。他のステップの処理は、第１実施例と同じである。
【００５８】
図２のステップＳ１１０では、調整用画像投写部２６０（図１）は、調整用画像ＡＩ２を表す画像データを生成する。２つの位置表示部ＤＩ１、ＤＩ２によって表される２つの位置は、後述するステップＳ１４０で特定される。位置の特定前には、調整用画像投写部２６０は、調整用画像ＡＩ２から２つの位置表示部ＤＩ１、ＤＩ２を省略してもよい。この代わりに、調整用画像投写部２６０は、各位置がそれぞれ所定の位置であることとして、２つの位置表示部ＤＩ１、ＤＩ２を表す調整用画像ＡＩ２を生成してもよい。なお、第１位置表示部ＤＩ１と第２位置表示部ＤＩ２との全体は、特許請求の範囲における「合焦状態を表す状態表示部分」に相当する。また、後述するように、第２位置表示部ＤＩ２は、状態表示部２５５によって更新される。
【００５９】
図２のステップＳ１４０では、フォーカス状態特定部２５０（図１）は、取得画像処理部２４０から受信した画像データを解析して、プロジェクタ１００を基準とする投写面（図１の実施例ではスクリーンＳＣ）の位置を特定する（以下、「第１位置」とも呼ぶ）。第１位置は、投写光学系３２０の光軸と平行な方向の位置に相当する。すなわち、第１位置は、プロジェクタ１００と投写面との間の距離に相当する。
【００６０】
図６は、位置と撮影された画像との関係を示す説明図である。図中には、プロジェクタ１００とスクリーンＳＣ＿Ａ、ＳＣ＿Ｂとが示されている。第１スクリーンＳＣ＿Ａは、第２スクリーンＳＣ＿Ｂよりもプロジェクタ１００から遠い位置に配置されている。
【００６１】
図中では、プロジェクタ１００の要素の内の、液晶ライトバルブ３１０と投写光学系３２０と撮像部４００とが示されている。投写光学系３２０は複数のレンズを有しているが、図６では、詳細な図示が省略されている。また、本実施例では、撮像部４００は、投写光学系３２０の横方向Ｈ側に配置されている。撮像部４００は、ＣＣＤセンサ４１０と、撮影光学系４２０と、を有している。撮影光学系４２０は、１または複数のレンズを有しているが、図６では、詳細な図示が省略されている。撮影光学系４２０の光軸４２０Ｘは、投写光学系３２０の光軸３２０Ｘとほぼ平行である（距離ＤＬは、光軸４２０Ｘ、３２０Ｘの間の距離を示している）。すなわち、撮像部４００は、投写光学系３２０と同じ方向を向いている。
【００６２】
図６のスクリーンＳＣ＿Ａ、ＳＣ＿Ｂ上には、第１マーカＭＫ１Ａ、ＭＫ１Ｂと、第２マーカＭＫ２Ａ、ＭＫ２Ｂとが、それぞれ示されている。第１マーカＭＫ１Ａ、ＭＫ１Ｂは、それぞれ、図５の第１マーカＭＫ１を表し、第２マーカＭＫ２Ａ、ＭＫ２Ｂは、それぞれ、図５の第２マーカＭＫ２を表している。図５に示すように、第１マーカＭＫ１は、調整用画像ＡＩ２の中の横方向Ｈとは逆の方向の端部に配置されており、第２マーカＭＫ２は、調整用画像ＡＩ２の中の横方向Ｈの端部に配置されている。
【００６３】
表示される画像の大きさは、投写面がプロジェクタ１００に近いほど、小さくなる。例えば、第２スクリーンＳＣ＿Ｂ上の２つのマーカＭＫ１Ｂ、ＭＫ２Ｂの間の距離は、第１スクリーンＳＣ＿Ａ上の２つのマーカＭＫ１Ａ、ＭＫ２Ａの間の距離よりも、短い。ただし、同じ調整用画像ＡＩ２を投写しているので、プロジェクタ１００とスクリーンとの間の距離に拘わらずに、液晶ライトバルブ３１０上では、各マーカＭＫ１、ＭＫ２の位置は、変化しない。
【００６４】
一方、撮影光学系４２０は、投写光学系３２０から、ゼロより大きな距離ＤＬだけ横方向Ｈにシフトしている（すなわち、撮影光学系４２０は、光軸３２０Ｘから離れた位置に配置されている）。ここで、投写面がプロジェクタ１００から遠い場合には、投写面に表示された画像は、撮像部４００のほぼ正面にあるように、撮像部４００から見える。ところが、投写面がプロジェクタ１００に近い場合には、投写面に表示された画像は、正面から投写光学系３２０に向かってずれているように、撮像部４００から見える。
【００６５】
例えば、第２スクリーンＳＣ＿Ｂ上の第１マーカＭＫ１Ｂは、第１スクリーンＳＣ＿Ａ上の第１マーカＭＫ１Ａよりも、投写光学系３２０に向かう方向（横方向Ｈとは逆の方向）にずれているように、撮像部４００から見える。また、第２スクリーンＳＣ＿Ｂ上の第２マーカＭＫ２Ｂは、第１スクリーンＳＣ＿Ａ上の第２マーカＭＫ２Ａよりも、投写光学系３２０に向かう方向にずれているように、撮像部４００から見える。
【００６６】
このように、撮像部４００から見ると、投写面に表示される画像は、投写面がプロジェクタ１００に近いほど、投写光学系３２０に向かってシフトする。すなわち、ＣＣＤセンサ４１０上における画像の位置は、プロジェクタ１００を基準とする投写面の位置（プロジェクタ１００と投写面との間の距離）に応じて変化する。そこで、フォーカス状態特定部２５０（図１）は、取得画像処理部２４０から受信した画像データを解析して、撮影された画像内のマーカＭＫの位置を特定する。特定方法としては、種々の方法を採用可能である。例えば、パターンマッチングによって画像内のマーカＭＫの位置を特定してもよい。次に、フォーカス状態特定部２５０は、特定された位置に従って、投写面の位置を特定する。投写面の位置と画像内のマーカＭＫの位置との対応関係は、予め実験的に決定される。また、フォーカス状態特定部２５０は、投写面の位置と画像内のマーカＭＫの位置との関係を表す演算式に従って、投写面の位置を算出してもよい。このような演算式は、幾何学的に導かれ得る。
【００６７】
なお、図５に示すように、調整用パターンＡＰ２は、互いに異なる位置に配置された複数のマーカＭＫを含んでいる。フォーカス状態特定部２５０（図１）は、各マーカＭＫ毎に位置を特定し、それらの平均位置を投写面の位置として採用する。その結果、投写面（例えば、スクリーンＳＣ（図１））が、投写光学系３２０の光軸３２０Ｘと垂直では無い場合であっても、投写面内の平均的な位置の特定が可能である。また、マーカ毎に予め決められた重みを付した重み付き平均位置を採用してもよい。
【００６８】
また、フォーカス状態特定部２５０（図１）は、検出部３２４の出力信号に従って、プロジェクタ１００を基準とする投写光の焦点の位置を特定する（以下、「第２位置」とも呼ぶ）。第２位置は、投写光学系３２０の光軸と平行な方向の位置に相当する。すなわち、第２位置は、プロジェクタ１００と焦点との間の距離に相当する。
【００６９】
本実施例では、検出部３２４（図１）は、フォーカスリング３２２の回転位置（角度）を検出し、回転位置を表す信号を出力する。このような検出部３２４の構成としては、種々の構成を採用可能である。本実施例では、検出部３２４は、フォーカスリング３２２の回転に伴って抵抗値が変化する可変抵抗と、可変抵抗の抵抗値をデジタル値に変換するＡ／Ｄ変換部とを有している。そして、検出部３２４は、Ａ／Ｄ変換部からのデジタル値を、出力信号として出力する。
【００７０】
焦点の位置（すなわち、焦点とプロジェクタ１００（図１）との間の距離）は、フォーカスリング３２２の回転によって変化する。すなわち、焦点の位置は、フォーカスリング３２２の回転位置によって決まる。そこで、フォーカス状態特定部２５０（図１）は、フォーカスリング３２２の回転位置（検出部３２４からの出力信号）に基づいて、焦点の位置を特定する。なお、回転位置と焦点の位置との対応関係は、予め実験的に決定される。
【００７１】
フォーカス状態特定部２５０（図１）は、第１位置（投写面の位置）と、第２位置（焦点の位置）とを、状態表示部２５５に供給する。状態表示部２５５は、図２のステップＳ１１０において、受信した２つの位置に応じて調整用画像ＡＩ２（図５）を更新する。本実施例では、状態表示部２５５は、第１位置表示部ＤＩ１の位置を変えずに、第２位置表示部ＤＩ２の位置を、第１位置と第２位置とに応じて決定する（第１位置表示部ＤＩ１は、画像内の所定の位置に配置される）。
【００７２】
図７（Ａ）〜７（Ｃ）は、撮像部４００によって撮影された画像ＰＩ２ａ〜ＰＩ２ｃを、それぞれ示している。図７（Ａ）に示す第１画像ＰＩ２ａは、焦点が投写面よりもプロジェクタ１００（図１）に近い場合を示している。この場合には、第２位置表示部ＤＩ２が第１位置表示部ＤＩ１よりも左に表示される。
【００７３】
図７（Ｂ）に示す第２画像ＰＩ２ｂは、焦点が投写面に合っている場合を示している。この場合には、第２位置表示部ＤＩ２の横方向Ｈの位置が第１位置表示部ＤＩ１と同じである。従って、ユーザは、この第２画像ＰＩ２ｂを観察することによって、容易に焦点が投写面に合っていることを確認できる。
【００７４】
図７（Ｃ）に示す第３画像ＰＩ２ｃは、焦点が投写面よりもプロジェクタ１００（図１）から遠い場合を示している。この場合には、第２位置表示部ＤＩ２が第１位置表示部ＤＩ１よりも右に表示される。
【００７５】
いずれの場合も、第１位置表示部ＤＩ１と第２位置表示部ＤＩ２との間の距離は、第１位置と第２位置との間の距離が大きいほど大きくなるように、設定される。そして、ユーザは、第２位置表示部ＤＩ２が第１位置表示部ＤＩ１に近づくように、フォーカスリング３２２を操作すればよい。
【００７６】
以上のように、本実施例では、調整用画像ＡＩ２の位置表示部ＤＩ１、ＤＩ２は、第１位置と第２位置との間の距離を表している。従って、ユーザは、第１位置と第２位置との間の距離が小さくなるように焦点を調整することによって、容易に精度良く焦点を調整することができる。
【００７７】
また、調整用画像ＡＩ２の位置表示部ＤＩ１、ＤＩ２は、第１位置と第２位置とのいずれがプロジェクタ１００に近いかを表している。従って、ユーザは、第１位置と第２位置とのいずれがプロジェクタ１００に近いかに応じて、容易に焦点の調整すべき方向を確認できる。その結果、ユーザは、容易に精度良く焦点を調整することができる。
【００７８】
なお、ユーザは、しばしば、プロジェクタ１００（図１）や投写面（例えば、スクリーンＳＣ）の位置を変えずに、焦点を調整する。従って、１回のアシスト処理においては、撮像部４００は、繰り返さずに１回だけ投写面の撮影を実行し、フォーカス状態特定部２５０は、繰り返さずに１回だけ、撮影された画像の解析による第１位置の特定を実行してもよい。この場合も、フォーカス状態特定部２５０は、フォーカスリング３２２の現行の調整設定（すなわち、回転位置）に基づく第２位置の特定を繰り返すことによって、第２位置を状態表示部２５５に通知すればよい。そして、状態表示部２５５は、特定された第２位置に応じて、調整用画像を繰り返し更新すればよい。なお、第１位置（投写面の位置）と第２位置（焦点の位置）との全体は、投写光の焦点の現行の合焦状態を表している。
【００７９】
Ｃ．変形例：
なお、上記各実施例における構成要素の中の、独立クレームでクレームされた要素以外の要素は、付加的な要素であり、適宜省略可能である。また、この発明は上記の実施例や実施形態に限られるものではなく、その要旨を逸脱しない範囲において種々の態様において実施することが可能であり、例えば次のような変形も可能である。
【００８０】
変形例１：
上述の各実施例では、投写光の焦点の合焦状態の特定に、所定のパターンを表すパターン部分（例えば、図３の調整用パターンＡＰや図５の調整用パターンＡＰ２）を含む調整用画像が利用されるので、任意の画像が利用される場合と比べて、焦点の合焦状態の特定の精度を高めることができる。そして、画像を投写（表示）するための焦点の調整に、実際に投写された画像が利用されるので、適切な焦点調整が可能である。
【００８１】
また、図４に示す第１実施例において、調整用画像に含まれるパターンとしては、図３に示す調整用パターンＡＰに限らず、種々のパターンを採用可能である。例えば、明領域の色は、最も明るい白色とは異なる色（例えば、有彩色）であってもよい。同様に、暗領域の色は、最も暗い黒色とは異なる色（例えば、有彩色）であってもよい。また、明領域と暗領域とが縦方向Ｖに沿って交互に配置されたパターンを採用してもよい。また、明領域と暗領域との少なくとも一方が、幅の広い領域と幅の狭い領域とを含んでもよい。また、明領域と暗領域とのそれぞれが、格子状に配置されたパターンを採用してもよい。一般には、交互に配置された互いに所定の色成分の強度の異なる第１領域と第２領域とを含むパターンを採用することが好ましい。このようなパターンを採用すれば、投写光の焦点の位置の変化に応じて、撮影によって生成された画像データ（特に所定の色成分の階調値）が大きく変化するので、焦点の合焦状態の特定の精度を高めることができる。なお、第１領域と第２領域との間で強度の異なる色成分としては、輝度に限らず、任意の色成分（例えば、赤成分や、緑成分や、青成分）を採用可能である。また、焦点の合焦状態の特定には、撮影された画像におけるその色成分を利用することが好ましい。
【００８２】
また、図５〜図７に示す第２実施例において、調整用画像に含まれるパターンとしては、図５に示す調整用パターンＡＰ２に限らず、種々のパターンを採用可能である。例えば、四角形や三角形のマーカを含むパターンを採用してもよい。このようなマーカの総数としては、１を採用してもよく、Ｎ（Ｎは２以上の整数）を採用してもよい。撮影された画像中のＮ個のマーカの位置から第１位置（投写面の位置）を特定する方法としては、種々の方法を採用可能である。例えば、Ｎ個の位置を総合することによって第１位置を特定してもよい。このような第１位置はＮ個のマーカの位置の関数で表されている、ということもできる（このような関数としては、平均的な位置を導く関数等の種々の関数を採用可能である）。また、図３に示すような第１実施例と同じパターンを採用してもよい。この場合、撮影された画像内における暗領域あるいは明領域の位置に従って、投写面の位置を特定してもよい。一般には、撮影された画像内における位置を特定可能な任意のパターンを採用できる。
【００８３】
いずれの場合も、アシスト処理で利用される調整用画像として、所定のパターン（調整用パターン）と焦点の合焦状態を表す状態表示部分との少なくとも一方に他の画像を重ね合わせて得られる重畳画像を、採用してもよい。例えば、映像選択部２２０（図１）は、調整用画像投写部２６０から受信した画像に、入力映像処理部２１０から受信した投写用画像を重ね合わせて得られる重畳画像を、出力映像処理部２３０に供給してもよい。２枚の画像を重ねて重畳画像を得る方法としては、種々の方法を採用可能である。例えば、重畳画像の在る画素の画素値（例えば、ＲＧＢのそれぞれの階調値）を、調整用画像投写部２６０から受信した画像中の同じ画素の画素値と、入力映像処理部２１０から受信した画像（投写用画像）中の同じ画素の画素値との平均値に設定してもよい。ここで、単純な平均の代わりに、所定の重みを付した重み付き平均を採用してもよい。このような重畳画像を利用する場合には、フォーカス状態特定部２５０は、撮影によって得られた画像の画素値から、投写用画像の画素値の分を差し引くことによって、所定のパターン（調整用パターン）を表す画素値を取得することができる。投写用画像の画素と、撮影によって得られた画像の画素との対応関係は、予め実験的に決定すればよい。また、フォーカス状態特定部２５０は、パターンマッチングによって、この対応関係を決定してもよい。なお、重畳画像においても、調整用画像投写部２６０から供給された画像に含まれる所定のパターンと状態表示部分とを視認可能である。このように、重畳画像も、所定のパターンを表す部分と状態表示部分とを含む、ということができる。
【００８４】
変形例２：
図３に示す実施例において、投写光の焦点の合焦状態を表す指標値としては、高周波強度を表す値に限らず、画像データにおける焦点の合焦状態を表すとともに焦点の移動によって変動する種々の値を採用可能である。ここで、投写光の焦点が投写面に合ったときに、極大、あるいは、極小となる値を採用することが好ましい。
【００８５】
例えば、図３に示す実施例において、空間周波数分布における強度を積算するための空間周波数の範囲としては、所定の閾値よりも高い範囲に限らず、所定の下限と所定の上限とで決まる範囲を採用してもよい。いずれの場合も、空間周波数の範囲は、投写光の焦点の位置の変化に応じて指標値が変化するように、実験的に決定すればよい。また、指標値としては、強度の積算値に限らず、空間周波数の所定範囲から得られる種々の強さを採用可能である。例えば、空間周波数の所定範囲内における平均強度を採用してもよい。また、単純な平均強度の代わりに、空間周波数に応じて予め決められた重みを付した重み付き平均強度を採用してもよい。このように、所定範囲内における強度の種々の総合値を採用可能である。
【００８６】
また、指標値としては、撮影された画像中の調整用パターン（例えば、図３の調整用パターンＡＰ）を表す部分におけるコントラストの強さを表す値を採用してもよい。図３（Ｂ）、３（Ｃ）に示すように、投写光の焦点が投写面に近いほど、コントラストは強くなる。従って、コントラストの強さは、投写光の焦点の位置と投写面の位置との一致の度合いを表している。なお、コントラストの強さを表す値の算出方法としては、周知の種々の方法を採用可能である。例えば、輝度の最大値から最小値を引いた値を採用してもよい。
【００８７】
いずれの場合も、指標値の算出に利用される色成分としては、輝度に限らず、種々の色成分（例えば、赤成分や緑成分や青成分）を採用可能である。
【００８８】
変形例３：
上述の各実施例において、投写光の焦点の合焦状態を表す指標値の表示形態としては、数字や棒グラフに限らず、視覚的に認識可能な任意の形態を採用可能である。例えば、指標値に応じて形状が変化する記号を採用してもよい。また、図３（Ａ）に示す調整用画像ＡＩにおいて、指標値領域ＩＡと棒グラフＢＧとのいずれか一方を省略してもよい。
【００８９】
変形例４：
上述の各実施例において、第１位置（投写面の位置）と第２位置（焦点の位置）との間の距離の表示形態としては、図５に示すように２つの位置表示部ＤＩ１、ＤＩ２の間の距離を利用する形態に限らず、視覚的に認識可能な任意の形態を採用可能である。例えば、距離を表す数字や棒グラフを採用してもよい。
【００９０】
変形例５：
上述の各実施例において、第１位置（投写面の位置）と第２位置（焦点の位置）とのいずれがプロジェクタに近いかを表す形態としては、図５に示すように２つの位置表示部ＤＩ１、ＤＩ２の間の位置関係を利用する形態に限らず、視覚的に認識可能な任意の形態を採用可能である。例えば、近い方に応じて形状が変化する記号を採用してもよい。
【００９１】
変形例６：
上述の各実施例において、アシスト処理の開始条件としては、ユーザが焦点調整部（例えば、図１のフォーカスリング３２２）を操作したことに限らず、任意の条件を採用可能である。例えば、プロジェクタ１００の電源が投入されたことや、プロジェクタ１００に設けられた図示しないアシストボタンが押下されたこと、等を採用してもよい。
【００９２】
また、アシスト処理の終了条件としては、ユーザが焦点調整部（例えば、図１のフォーカスリング３２２）の操作をやめてから所定時間が経過したこと、に限らず、任意の条件を採用可能である。例えば、プロジェクタ１００に設けられた図示しないアシストボタンが押下されたことを採用してもよい。
【００９３】
変形例７：
上述の各実施例において、焦点調整部としては、フォーカスリング３２２（図１）に限らず、ユーザの操作に従って投写光の焦点を移動させる種々の装置を採用可能である。例えば、焦点調整部が、モータと、ユーザにモータを操作させるための操作部（例えば、ボタン）と、を含んでも良い。そして、モータが、ユーザの操作に従って、投写光学系３２０（図１）内のレンズの配置を変化させてもよい。
【００９４】
変形例８：
上述の各実施例において、プロジェクタの構成としては、図１に示す構成に限らず、種々の構成を採用可能である。例えば、光源からの光を、画像を表す投写光に変調する変調部としては、液晶ライトバルブに限らず、種々の装置を採用可能である。例えば、ＤＭＤ（Digital Micromirror Device，ＴＩ(Texas Instruments)社の商標）を採用してもよい。また、撮像部４００の光軸が、投写光学系３２０の光軸と平行でなくてもよい。この場合も、図６に示す実施例と同様に、撮影された画像内における特定のパターン（例えばマーカＭＫ）の位置は、投写面の位置に応じて変化する。従って、フォーカス状態特定部２５０は、図６に示す実施例と同様に、投写面の位置を特定できる。
【００９５】
変形例９：
上述の各実施例において、プロジェクタが、合焦状態を表示する表示装置を備えてもよい。図８は、そのようなプロジェクタ１００Ａを示す説明図である。図１に示すプロジェクタ１００との差違は、表示装置５００が追加されている点だけである。他の構成は、図１のプロジェクタ１００と同じである。プロジェクタ１００Ａは、図２の手順に従って、アシスト処理を実行する。図８には、プロジェクタ１００Ａが、図５に示す調整用画像ＡＩ２を投写する様子が示されている。投写された画像ＰＩ２には、調整用パターンＡＰ２と、位置表示部ＤＩ１、ＤＩ２が表されている。さらに、プロジェクタ１００Ａの筐体の所定の位置（表示装置５００の近傍）には、第１位置表示部ＤＩ１ｘが記され、表示装置５００には、第２位置表示部ＤＩ２ｘが表示されている。図２のステップＳ１１０では、状態表示部２５５（図１）は、第２位置表示部ＤＩ２ｘを表示装置５００に表示させる。ここで、状態表示部２５５は、２つの位置表示部ＤＩ１ｘ、ＤＩ２ｘの間の位置関係が、２つの位置表示部ＤＩ１、ＤＩ２の間の位置関係と同じとなるように、表示装置５００に表示される第２位置表示部ＤＩ２ｘの位置を更新する。このように、状態表示部２５５は、表示装置５００に、合焦状態を表示させる。ユーザは、表示装置５００による表示を観察することによって、現在の合焦状態を確認することができる。その結果、投写された画像がぼやけている場合（投写光の焦点が投写面に合っていない場合）であっても、ユーザは、容易に焦点を調整することができる。
【００９６】
また、プロジェクタが、合焦状態を表す状態表示部分を含まない調整用画像を投写し、そして、表示装置５００に合焦状態を表示させてもよい。図９は、このようなプロジェクタ１００Ｂを示す説明図である。図８に示すプロジェクタ１００Ａとの差違は、投写される調整用画像ＡＩ３が、調整用画像ＡＩ２（図５）から状態表示部分（位置表示部ＤＩ１、ＤＩ２）を省略したものである点だけである。すなわち、合焦状態は、投写面（投写画像ＰＩ３）には表示されずに、表示装置５００に表示される。この場合も、ユーザは、表示装置５００を観察することによって、現在の合焦状態を確認することができる。
【００９７】
なお、図８に示す実施例のように、投写面と表示装置５００との両方に合焦状態を表示すれば、ユーザは、投写された画像がぼやけている場合には表示装置５００の観察によって合焦状態を確認でき、そして、焦点が投写面に近い場合には実際に投写された画像の観察によって合焦状態を確認できる。従って、種々の条件下において、ユーザは、容易に精度良く焦点を調整することができる。
【００９８】
なお、表示装置５００としては、任意の表示装置を採用可能である。例えば、ＬＣＤ（Liquid Crystal Display）やＯＬＥＤ（Organic light-emitting diode）を用いたディスプレイやＬＥＤ（Light Emitting Diode）アレイ等を採用可能である。いずれの場合も、表示すべき内容を投写面とは独立に表示する表示装置を採用すれば、ユーザは、投写面の状態に拘わらずに、合焦状態を確認することができる。また、調整用画像としては、図８、図９に示す画像に限らず、種々の画像を採用可能である。例えば、図３に示す調整用画像ＡＩを採用してもよい。この場合には、表示装置５００は、指標値領域ＩＡと棒グラフＢＧとの少なくとも一方を表示することが好ましい。なお、表示装置５００による合焦状態の表示形態としては、上述の各実施例で投写される合焦状態の表示形態と同様に、視覚的に認識可能な任意の形態を採用可能である。
【００９９】
変形例１０：
上記各実施例において、ハードウェアによって実現されていた構成の一部をソフトウェアに置き換えるようにしてもよく、逆に、ソフトウェアによって実現されていた構成の一部あるいは全部をハードウェアに置き換えるようにしてもよい。例えば、図１に示す調整用画像投写部２６０の機能を、プログラムを実行するコンピュータによって実現してもよい。
【０１００】
また、本発明の機能の一部または全部がソフトウェアで実現される場合には、そのソフトウェア（コンピュータプログラム）は、コンピュータ読み取り可能な記録媒体に格納された形で提供することができる。この発明において、「コンピュータ読み取り可能な記録媒体」とは、フレキシブルディスクやＣＤ−ＲＯＭのような携帯型の記録媒体に限らず、各種のＲＡＭやＲＯＭ等のコンピュータ内の内部記憶装置や、ハードディスク等のコンピュータに固定されている外部記憶装置も含んでいる。
【図面の簡単な説明】
【０１０１】
【図１】本発明の一実施例としてのプロジェクタを示す説明図である。
【図２】アシスト処理の手順を示すフローチャートである。
【図３】調整用画像ＡＩを示す説明図である。
【図４】撮影された画像を示す説明図である。
【図５】調整用画像の別の実施例を示す説明図である。
【図６】位置と撮影された画像との関係を示す説明図である。
【図７】撮影された画像を示す説明図である。
【図８】プロジェクタ１００Ａを示す説明図である。
【図９】プロジェクタ１００Ｂを示す説明図である。
【符号の説明】
【０１０２】
１００、１００Ａ、１００Ｂ…プロジェクタ
２００…表示制御部
２１０…入力映像処理部
２２０…映像選択部
２３０…出力映像処理部
２４０…取得画像処理部
２５０…フォーカス状態特定部
２６０…調整用画像投写部
３００…光源
３１０…液晶ライトバルブ
３２０…投写光学系
３２０Ｘ…光軸
３２２…フォーカスリング
３２４…検出部
４００…撮像部
４１０…ＣＣＤセンサ
４２０…撮影光学系
４２０Ｘ…光軸
ＳＣ、ＳＣ＿Ａ、ＳＣ＿Ｂ…スクリーン
ＩＡ…指標値領域
ＢＧ…棒グラフ
ＡＩ、ＡＩ２…調整用画像
ＭＫ、ＭＫ１、ＭＫ２…マーカ
ＡＰ、ＡＰ２…調整用パターン
ＤＩ１…第１位置表示部
ＤＩ２…第２位置表示部
【図１】
2010032842.tif 000003
【図２】
2010032842.tif 000004
【図３】
2010032842.tif 000005
【図４】
2010032842.tif 000006
【図５】
2010032842.tif 000007
【図６】
2010032842.tif 000008
【図７】
2010032842.tif 000009
【図８】
2010032842.tif 000010
【図９】
2010032842.tif 000011